(57)【要約】【課題】手動により電源をＯＦＦした際に次回電源ＯＮ等の所定モードに容易に移行でき、消費電力の低減化に貢献できる画像形成装置等を提供する。【解決手段】自装置の電源をユーザが手動でＯＦＦ操作した際、自装置が次回所定モードに自動移行するタイミングをユーザが設定可能な設定手段１１と、設定手段により設定されたタイミングで、自装置を前記所定モードに移行させる制御手段１１と、を備えている。所定モードの一例としては、通常の電源ＯＮ状態である場合や、低電力モードを挙げることができる。【選択図】  図７
2010166251.tif 000002
【特許請求の範囲】
【請求項１】
自装置の電源をユーザが手動でＯＦＦ操作した際、自装置が次回所定モードに自動移行するタイミングをユーザが設定可能な設定手段と、
前記設定手段により設定されたタイミングで、自装置を前記所定モードに移行させる制御手段と、
を備えたことを特徴とする画像形成装置。
【請求項２】
前記所定モードは、通常の電源ＯＮ状態である請求項１に記載の画像形成装置。
【請求項３】
前記所定モードは、低電力モードである請求項１に記載の画像形成装置。
【請求項４】
前記設定手段は、前記所定モードに移行するまでの時間を設定することにより前記タイミングを設定する請求項１〜３のいずれかに記載の画像形成装置。
【請求項５】
前記設定手段は、前記所定モードに移行する時刻を設定することにより前記タイミングを設定する請求項１〜３のいずれかに記載の画像形成装置。
【請求項６】
前記制御手段は、ユーザによって設定された所定モードへ移行する前記タイミングが、自装置が有するタイマ機能によって設定されている所定モードへ移行するタイミングよりも早いか遅いかを判別し、どちらの設定を優先するかを前記設定手段でユーザに設定させる請求項１〜５のいずれかに記載の画像形成装置。
【請求項７】
自装置の電源をユーザが手動でＯＦＦ操作した際、自装置が次回所定モードに自動移行するタイミングをユーザに設定させる設定ステップと、
前記設定ステップにより設定されたタイミングで、自装置を前記所定モードに移行させる制御ステップと、
を備えたことを特徴とする画像形成装置におけるモード移行制御方法。
【請求項８】
自装置の電源をユーザが手動でＯＦＦ操作した際、自装置が次回所定モードに自動移行するタイミングをユーザに設定させる設定ステップと、
前記設定ステップにより設定されたタイミングで、自装置を前記所定モードに移行させる制御ステップと、
を画像形成装置のコンピュータに実行させるためのモード移行制御プログラム。
【発明の詳細な説明】
【技術分野】
【０００１】
この発明は、電子写真プロセスを採用する多機能デジタル複合機等の画像形成装置及び同装置におけるモード移行制御方法並びにモード移行制御プログラムに関する。
【背景技術】
【０００２】
電子写真プロセスを採用する画像形成装置は、一般的に、待機状態であっても定着ローラの加熱のために比較的多くの電力を消費する傾向にある。そのため、使用しない場合には、定着ローラに通電しないように電源をＯＦＦにしておけば、電力消費を効果的に抑制することができる。
【０００３】
従来より、画像形成装置が一定時間操作されない場合には、電源を自動的にＯＦＦする機能（スリープタイマ）や、ユーザの操作によって電源ＯＦＦ等の待機モードに入る機能を備えたものが広く普及している。
【０００４】
しかし、画像形成装置の電源をＯＦＦした後に再び使用するために、ユーザが電源をＯＮした場合、画像形成装置装置が使用可能となる通常モードに至るまでに結構時間がかかり、不便である。
【０００５】
このように通常モードに至るまでの時間がかかる不便さを回避するために、ウィークリータイマ機能（例えば一日ずつ／曜日毎に自動的に電源のＯＮ／ＯＦＦが行える機能）により自動的に電源ＯＦＦ／ＯＮのタイミングを予め設定しておくものが実用化されている。この機能を使えば、設定されたタイミングに応じて、画像形成装置の電源ＯＦＦ／ＯＮを自動的に制御可能となる。
【０００６】
また、ウィークリータイマで設定された時刻よりも前に、電源がＯＮ／ＯＦＦされた回数が所定回数となった場合には、表示画面等の報知動作手段により設定時間の変更を促すようにした技術が開示されている（例えば、特許文献１参照）。
【先行技術文献】
【特許文献】
【０００７】
【特許文献１】特開２００５−２０８３７４号公報
【発明の概要】
【発明が解決しようとする課題】
【０００８】
しかしながら、ウィークリータイマで予め設定されている所定時刻以外の時間帯において、ユーザが手動で電源をＯＦＦした場合、ユーザは次に電源ＯＮとなるタイミングを設定できないという問題があった。つまり、装置の使用状況に応じて電源のＯＮ／ＯＦＦを変えたい場合でも、ウィークリータイマの設定に制約されてしまい、装置の使用状況に応じた柔軟な制御ができず、使い勝手が良くないという問題があった。
【０００９】
この発明は、上記実情に鑑みてなされたものであり、ユーザが手動により電源をＯＦＦした際に、ユーザの意図に応じて次回電源ＯＮ等の所定モードに容易に移行でき、消費電力の低減化に貢献できると共に使い勝手の良い画像形成装置を提供し、さらに同装置におけるモード移行制御方法並びにモード移行制御プログラムを提供することを課題としている。
【課題を解決するための手段】
【００１０】
上記課題は、以下の手段によって解決される。
（１）自装置の電源をユーザが手動でＯＦＦ操作した際、自装置が次回所定モードに自動移行するタイミングをユーザが設定可能な設定手段と、前記設定手段により設定されたタイミングで、自装置を前記所定モードに移行させる制御手段と、を備えたことを特徴とする画像形成装置。
（２）前記所定モードは、通常の電源ＯＮ状態である前項１に記載の画像形成装置。
（３）前記所定モードは、低電力モードである前項１に記載の画像形成装置。
（４）前記設定手段は、前記所定モードに移行するまでの時間を設定することにより前記タイミングを設定する前項１〜３のいずれかに記載の画像形成装置。
（５）前記設定手段は、前記所定モードに移行する時刻を設定することにより前記タイミングを設定する前項１〜３のいずれかに記載の画像形成装置。
（６）前記制御手段は、ユーザによって設定された所定モードへ移行する前記タイミングが、自装置が有するタイマ機能によって設定されている所定モードへ移行するタイミングよりも早いか遅いかを判別し、どちらの設定を優先するかを前記設定手段でユーザに設定させる前項１〜５のいずれかに記載の画像形成装置。
（７）自装置の電源をユーザが手動でＯＦＦ操作した際、自装置が次回所定モードに自動移行するタイミングをユーザに設定させる設定ステップと、前記設定ステップにより設定されたタイミングで、自装置を前記所定モードに移行させる制御ステップと、を備えたことを特徴とする画像形成装置におけるモード移行制御方法。
（８）自装置の電源をユーザが手動でＯＦＦ操作した際、自装置が次回所定モードに自動移行するタイミングをユーザに設定させる設定ステップと、前記設定ステップにより設定されたタイミングで、自装置を前記所定モードに移行させる制御ステップと、を画像形成装置のコンピュータに実行させるためのモード移行制御プログラム。
【発明の効果】
【００１１】
前項（１）に記載の発明によれば、ユーザが手動で電源ＯＦＦ操作した際に、自装置が次回所定モードに自動的に移行するタイミングをユーザが設定することで、設定されたタイミングで、自装置を所定モードに移行させることができるから、省電力化状態を維持しつつウィークリータイマ機能等によるタイマに制約されることなく、ユーザの意図に基づいて容易に所定モードに移行させることができ、使い勝手の良い画像形成装置となしうる。
【００１２】
前項（２）に記載の発明によれば、ユーザが手動で電源ＯＦＦ操作した際に設定したタイミングで、自動的に電源ＯＮとなる。
【００１３】
前項（３）に記載の発明によれば、ユーザが手動で電源ＯＦＦ操作した際に設定したタイミングで、自動的に低電力モードに移行する。
【００１４】
前項（４）に記載の発明によれば、所定モードに移行するまでの時間を設定することにより、所定モードに移行するタイミングが設定される。
【００１５】
前項（５）に記載の発明によれば、所定モードに移行する時刻を設定することにより、所定モードに移行するタイミングが設定される。
【００１６】
前項（６）に記載の発明によれば、ユーザによって設定された所定モードへ移行する前記タイミングが、自装置が有するタイマ機能によって設定されている所定モードへ移行するタイミングよりも早いか遅いかを判別し、どちらの設定を優先するかを前記設定手段でユーザに設定させることができるから、ユーザはいずれのタイミングを優先させるかを設定でき、さらに使い勝手が良くなる。
【００１７】
前項（７）に記載の発明によれば、ユーザが手動で電源ＯＦＦ操作した際に、自装置が次回所定モードに自動的に移行するタイミングをユーザが設定することで、設定されたタイミングで、自装置を所定モードに移行させるから、省電力化状態を維持しつつウィークリータイマ機能等によるタイマに制約されることなく、ユーザの意図に基づいて容易に所定モードに移行することができ、使い勝手を向上することができる。
【００１８】
前項（８）に記載の発明によれば、自装置の電源をユーザが手動でＯＦＦ操作した際、自装置が次回所定モードに自動移行するタイミングをユーザに設定させるとともに、設定されたタイミングで、自装置を前記所定モードに移行させる処理を、画像形成装置のコンピュータに実行させることができる。
【図面の簡単な説明】
【００１９】
【図１】この発明の一実施形態に係る画像形成装置としてのＭＦＰの電気的構成を示すッブロック図である。
【図２】同じくＭＦＰの外観図である。
【図３】ユーザがＭＦＰの電源をＯＦＦした際に操作パネルの表示部に表示される画面の一例を示す図である。
【図４】ユーザがＭＦＰの電源をＯＦＦした際に操作パネルの表示部に表示される画面の他の例を示す図である。
【図５】ユーザが設定した電源ＯＮのタイミングが、ウィークリータイマによる電源ＯＮのタイミングよりも遅い場合に、表示部に表示される画面の一例を示す。
【図６】ユーザが設定した電源ＯＮのタイミングが、ウィークリータイマによる電源ＯＮのタイミングよりも早い場合に、表示部に表示される画面の一例を示す。
【図７】ユーザにより電源ＯＦＦ操作がなされた場合の制御処理を示すフローチャートである。
【図８】図８のステップＳ２００（重複処理）のサブルーチンを示すフローチャートである。
【発明を実施するための形態】
【００２０】
以下、この発明の一実施形態を図面に基づいて説明する。
【００２１】
図１は、この発明の一実施形態に係る画像形成装置であるＭＦＰ１の電気的構成を示すブロック図である。
【００２２】
図１において、このＭＦＰ１は、ＣＰＵ１１と、ＲＯＭ１２と、ＲＡＭ１３と、スキャナ部１４と、記憶部１５と、プリンタ部１６と、操作パネル１７と、ネットワークコントローラ（Ｎ１Ｃ）１８等を備えている。
【００２３】
前記ＣＰＵ１１は、ＭＦＰ１の全体を統括制御して、ＭＦＰ１の基本動作である例えばコピー、プリント、ファクシミリ送信、スキャン送信等の動作を実行する。さらに、この実施形態では、このＣＰＵ１１は、ウィークリータイマ機能に基づいてＭＦＰ１の電源のＯＮ、ＯＦＦを制御すると共に、ユーザが手動で電源をＯＦＦ操作した際には、次回に所定モードの一例である電源ＯＮとなるタイミングをユーザに設定させるために、設定画面を操作パネル１７の表示部１７１に表示させたり、設定したタイミングで電源をＯＮにする等の動作を行う。さらに、ウィークリータイマ機能による設定がなされている場合には、ユーザによって設定された電源ＯＮのタイミングが、ウィークリータイマ機能により設定されている電源ＯＮのタイミングよりも早いか遅いかを判別し、どちらの設定を優先するかユーザに設定させる機能を有している。これらの機能については後述する。
【００２４】
前記ＲＯＭ１２は、ＣＰＵ１１の動作プログラム等を格納するメモリである。
【００２５】
前記ＲＡＭ１３は、ＣＰＵ１１が動作プログラムに基づいて動作する際の作業領域を提供するメモリである。
【００２６】
前記スキャナ部１４は、原稿台（図示せず）に置かれた原稿の画像を読み取り、画像データを出力する読み取り手段である。
【００２７】
前記記憶部１５は、例えばハードディスクドライブ（ＨＤＤ）などの不揮発性の記憶デバイスにより構成されている。
【００２８】
前記プリンタ部１６は、スキャナ部１４で読み取られた原稿の画像データや、ユーザ端末等の外部装置から送信されたプリントデータ等を印刷するものである。
【００２９】
前記操作パネル１７は、ＭＦＰ１の操作状態やメッセージ等を表示したり、電源をＯＮするタイミングを設定するための設定画面等を表示する液晶タッチパネルからなる表示部１７１と、テンキー、スタートキー、ストップキー等を備えたキー入力部１７２とを備えている。
【００３０】
前記ネットワークコントローラ（Ｎ１Ｃ）１８は、ＬＡＮ等のネットワークを介して外部装置との間でデータの送受信を行うための通信部として機能する。
【００３１】
図２は、ＭＦＰ１の外観図である。
【００３２】
図２において、ＭＦＰ１は、例えば本体１Ａの正面に操作パネル１７が設けられており、その操作パネル１７における表示部１７１に各種設定画面等を表示でき、ユーザは、表示部１７１に表示された設定画面から設定値等の入力が行えるようになっている。
【００３３】
ＭＦＰ１の本体１Ａの内部には、各種部材と共に、電源ＯＮによって加熱動作が開始される定着ユニット（図示せず）が配備されており、ＣＰＵ１１により、最適な定着温度に制御されるようになっている。また、本体１Ａの外面には、スリープモード等を設定するための電源（副電源）ＯＦＦ用ボタン４が設けられている。
【００３４】
なお、図中、５は、本体１Ａの上側に配備された自動原稿供給部（ＡＤＦ）、６は給紙部、７は排紙トレイである。
【００３５】
図３は、ユーザがＭＦＰ１の電源ＯＦＦ用ボタン４をＯＦＦした際に操作パネル１７１の表示部１７１上に表示される画面の一例を示す。
【００３６】
ユーザがＭＦＰ１の電源ＯＦＦ用ボタン４をＯＦＦした際に、操作パネル１７の表示部１７１に、「次回電源ＯＮまでの時間」の設定を促すメッセージを含む設定画面Ｇ１が表示される。
【００３７】
この設定画面Ｇ１における時間選択欄ａ１において、ユーザが「○○分後」を選択し、「ＯＫ」ボタンを押下すれば、ＣＰＵ１１は、この設定値を記憶部１５に記憶させたのち、ＭＦＰ１の電力供給を停止して、ＭＦＰ１をスリープモードとする。そして、設定値が経過したタイミングで電源をＯＮにする。
【００３８】
また、この設定画面Ｇ１では、「次回電源ＯＮまでの時間（１〜９９９）」を任意に入力できる入力欄ｂ１が表示されている。ここで、ユーザが時間を入力して「ＯＫ」ボタンを押下すれば、ＣＰＵ１１は、この設定値を記憶部１５に記憶させたのち、ＭＦＰ１の電力供給を停止して、ＭＦＰ１をスリープモードとする。そして、設定値が経過したタイミングで電源をＯＮにする。
【００３９】
また、この設定画面Ｇ１では、「このまま電源をＯＦＦする」という選択ボタンｃ１を備えている。ユーザがこのボタンを選択して「ＯＫ」ボタンを押下すれば、ＣＰＵ１１は、ＭＦＰ１の電力供給を停止して、ＭＦＰ１をスリープモードとする。この場合は、通常のウィークリータイマに従った所定のタイミングで電源がＯＮになる。
【００４０】
図４は、ユーザがＭＦＰ１の電源ＯＦＦ用ボタン４をＯＦＦした際に操作パネル１７の表示部１７１に表示される設定画面の他の例を示す。
【００４１】
この例では、表示部１７１に「次回電源ＯＮする時刻」の設定を促すメッセージを含む設定画面Ｇ２が表示される。
【００４２】
この設定画面Ｇ２における時刻入力欄ａ２において、ユーザが各項目を入力して時刻を設定した後、「ＯＫ」ボタンを押下すれば、ＣＰＵ１１は、この設定値を記憶部１５に記憶させたのち、ＭＦＰ１の電力供給を停止して、ＭＦＰ１をスリープモードとする。そして、設定値が到来したタイミングで電源をＯＮにする。
【００４３】
また、この設定画面Ｇ２では、「このまま電源をＯＦＦする」という選択ボタンｂ２を備えている。ユーザがこれを選択して「ＯＫ」ボタンを押下すれば、ＣＰＵ１１は、ＭＦＰ１の電力供給を停止して、ＭＦＰ１をスリープモードとする。この場合は、通常のウィークリータイマ機能に従った所定のタイミングで電源がＯＮになる。
【００４４】
図５は、図３の設定画面Ｇ１または図４の設定画面Ｇ２において、ユーザが「次回電源ＯＮ」の設定を行った際の電源ＯＮのタイミングよりも早く、ウィークリータイマ機能による電源ＯＮのタイミングが設定されている場合に、操作パネル１７の表示部１７１に表示される画面の一例を示す。
【００４５】
この例では、表示部１７１に、ユーザによる電源ＯＮの設定時刻がウィークリータイマによる電源ＯＮの設定時刻と重複している旨のメッセージを含み、いずれを優先するかを設定するための設定画面Ｇ３が表示されている。
【００４６】
ユーザが設定画面Ｇ３における「今回の設定を優先する」ボタンａ３を選択して「ＯＫ」ボタンを押下すると、ＣＰＵ１１はユーザによる設定値を優先する設定を行ったのち、ＭＦＰ１の電力供給を停止して、ＭＦＰ１をスリープモードとする。そして、ユーザによる設定値が到来したタイミングで電源をＯＮにする。
【００４７】
また、ユーザが設定画面Ｇ３において「ウィークリータイマ設定を優先する」ボタンｂ３を選択して「ＯＫ」ボタンを押下すると、ＣＰＵ１１はウィークリータイマ設定を優先する設定を行ったのち、ＭＦＰ１の電力供給を停止して、ＭＦＰ１をスリープモードとする。そして、ウィークリータイマによる設定値が到来したタイミングで電源をＯＮにする。
【００４８】
さらにまた、ユーザが設定画面Ｇ３における「再設定を行う」ボタンｃ３を選択して「ＯＫ」ボタンを押下すると、図３の設定画面Ｇ１または図４の設定画面Ｇ２に戻り、電源ＯＮまでの時間または時刻の再設定を促す。
【００４９】
図６は、図３の設定画面Ｇ１または図４の設定画面Ｇ２において、ユーザが「次回電源ＯＮ」の設定を行った際の電源ＯＮのタイミングよりも遅く、ウィークリータイマ機能による電源ＯＮのタイミングが設定されている場合に、操作パネル１７の表示部１７１に表示される画面の一例を示す。
【００５０】
この例では、表示部１７１に、ユーザによる電源ＯＮの設定時刻にはウィークリータイマによる電源ＯＦＦが設定されている旨のメッセージを含み、いずれを優先するかを設定するための設定画面Ｇ４が表示されている。
【００５１】
ユーザが設定画面Ｇ４における「今回の設定を優先する」ボタンａ４を選択して「ＯＫ」ボタンを押下すると、ＣＰＵ１１はユーザによる設定値を優先する設定を行ったのち、ＭＦＰ１の電力供給を停止して、ＭＦＰ１をスリープモードとする。そして、ユーザによる設定値が到来したタイミングで電源をＯＮにする。
【００５２】
また、ユーザが設定画面Ｇ４において「ウィークリータイマ設定を優先する」ボタンｂ４を選択して「ＯＫ」ボタンを押下すると、ＣＰＵ１１はウィークリータイマ設定を優先する設定を行ったのち、ＭＦＰ１の電力供給を停止して、ＭＦＰ１をスリープモードとする。そして、ウィークリータイマによる設定値が到来したタイミングで電源をＯＮにする。
【００５３】
さらにまた、ユーザが設定画面Ｇ４における画面部「再設定を行う」ボタンｃ４を選択して「ＯＫ」ボタンを押下すると、図３の設定画面Ｇ１または図４の設定画面Ｇ２に戻り、電源ＯＮまでの時間または時刻の再設定を促す。
【００５４】
このように、この実施形態では、消費電力を制御したいユーザが、例えば「会議中は１時間のみ電源ＯＦＦ」や「昼休み中の電源ＯＦＦ後、午後の始業時に電源ＯＮ」といった電源ＯＮのタイミングの設定を行うことができるため、ＭＦＰ１の消費電力を抑えながら、次回電源ＯＮのタイミングをユーザの意図に基づいて容易に設定することができる。
【００５５】
図７は、ユーザにより電源ＯＦＦの操作がなされた場合の制御処理を示すフローチャートである。この処理は、ＣＰＵ１１がＲＯＭ１２等の記録媒体に記録された動作プログラムに従って動作することにより実行される。
【００５６】
図７において、ステップＳ１０１では、ユーザによって電源ＯＦＦ操作がなされたか否かを判断し、電源ＯＦＦ操作がなされていれば（ステップＳ１０１でＹＥＳ）、ステップＳ１０２では、操作パネル１７の表示部１７１に図３の設定画面Ｇ１または図４の設定画面Ｇ２を表示して、ステップＳ１０３に進む。電源ＯＦＦ操作がなされていなければ（ステップＳ１０１でＮＯ）、電源ＯＦＦ操作を待つ。
【００５７】
ステップＳ１０３では、設定画面Ｇ１またはＧ２において、電源ＯＮのタイミングの設定がなされたか否かを判断し、設定がなされいれば（ステップＳ１０３でＹＥＳ）、ステップＳ１０４に進む。設定がなされていなければ（ステップＳ１０３でＮＯ）、ステップＳ３００で、ＭＦＰ１の電源供給停止処理を実行したのち、本ルーチンを終了する。
【００５８】
ステップＳ１０４では、ウィークリータイマが設定されているか否かを判断し、ウィークリータイマが設定されていれば（ステップＳ１０４でＹＥＳ）、ステップＳ２００では、重複処理を行ってから本ルーチンを終了する。ウィークリータイマが設定されていなければ（ステップＳ１０４でＮＯ）、ステップＳ３００に進み、ＭＦＰ１の電源供給停止処理を実行する。
【００５９】
図８は、図７のステップＳ２００の重複処理のサブルーチンを示すフローチャートである。重複処理とは、予めウィークリータイマが設定されている状態で、ユーザによる電源ＯＮのタイミングの設定が行われた場合の処理である。
【００６０】
図８において、ステップＳ２０１では、ユーザにより設定された次回電源ＯＮのタイミングがウィークリータイマで設定されている電源ＯＮのタイミングよりも遅いかどうかを判断し、遅ければ（ステップＳ２０１でＹＥＳ）、ステップＳ２０２では、表示部１７１に図５の設定画面Ｇ３を表示したのち、ステップＳ２０４に進む。タイミングが早ければ（ステップＳ２０１でＮＯ）、ステップＳ２０３で、図６の設定画面Ｇ４を表示したのちステップＳ２０４に進む。
【００６１】
ステップＳ２０４では、ユーザによる今回の設定が優先されるか否かをユーザによる操作に基づいて判断する。今回の設定タイミングを優先するのであれば（ステップＳ２０４でＹＥＳ）、ステップＳ２１０で今回の設定タイミングを次回電源ＯＮのタイミングとして設定したのち、ステップＳ２３０でＭＦＰ１の電源供給停止処理を実行し、リターンする。
【００６２】
ステップＳ２０４において、今回の設定が優先されない場合（ステップＳ２０４でＮＯ）、ステップＳ２０５で、ウィークリータイマの設定が優先されるか否かを判断する。ウィークリータイマの設定が優先される場合（ステップＳ２０５でＹＥＳ）、ステップＳ２１１で、ウィークリータイマによるタイミングを次回電源ＯＮのタイミングとして設定したのち、ステップＳ２３０でＭＦＰ１の電源供給停止処理を実行し、リターンする。
【００６３】
ウィークリータイマの設定が優先されない場合（ステップＳ２０５でＮＯ）、図７のステップＳ１０２に戻って、図３の設定画面Ｇ１か図４の設定画面Ｇ２を表示部１７１に表示して、ユーザに再設定させる。
【００６４】
以上、本発明の一実施形態を説明したが、本発明の上記実施形態に限定されることはない。例えば、ユーザが電源ＯＦＦ操作を行った際、次回移行する所定モードとして「電源ＯＮ」に移行する場合を例示したが、「電源ＯＮ」以外の所定モード、例えば電源ＯＮ状態とスリープモードとの間の電力消費レベルである「低電力モード」等に移行する場合にも適用してもよい。
【符号の説明】
【００６５】
１  画像形成装置（ＭＦＰ）
４  電源（副電源）
１１  ＣＰＵ
１２  ＲＯＭ
１７  操作パネル
１７１  表示部
【図１】
2010166251.tif 000003
【図２】
2010166251.tif 000004
【図３】
2010166251.tif 000005
【図４】
2010166251.tif 000006
【図５】
2010166251.tif 000007
【図６】
2010166251.tif 000008
【図７】
2010166251.tif 000009
【図８】
2010166251.tif 000010